(57)【要約】実物のオブジェクトに対して奥行き方向も含めた配置関係で虚像として関連情報像を付加することができるヘッドアップディスプレイ装置を提供する。ヘッドアップディスプレイ装置２００は、虚像を投影する投影光学系３０と、検出領域ＶＦ内に存在するオブジェクトを検出するとともに、投影光学系３０からオブジェクトまでの距離を目標距離として検出するオブジェクト検出部としての環境監視部７２と、投影光学系３０からの虚像の投影距離を非周期的に変化させる投影距離変更部６２と、検出されたオブジェクトに対して、目標距離と投影距離とが略一致するように、投影光学系３０によって虚像として関連情報像を付加する像付加部である主制御装置９０及び表示制御部１８と、を備える。
2018180857.tif 000002
【特許請求の範囲】
【請求項１】
虚像を投影する投影光学系と、
検出領域内に存在するオブジェクトを検出するとともに、前記投影光学系から前記オブジェクトまでの距離を目標距離として検出するオブジェクト検出部と、
前記投影光学系からの虚像の投影距離を非周期的に変化させる投影距離変更部と、
前記検出されたオブジェクトに対して、前記目標距離と前記投影距離とが略一致するように、前記投影光学系によって虚像として関連情報像を付加する像付加部と、
を備えるヘッドアップディスプレイ装置。
【請求項２】
前記投影距離変更部は、前記投影距離を任意の順序で変化させる、請求項１に記載のヘッドアップディスプレイ装置。
【請求項３】
前記投影距離変更部は、前記オブジェクト検出部によって前記目標距離が検出されたタイミングで、前記目標距離に近似する前記投影距離を設定する、請求項２に記載のヘッドアップディスプレイ装置。
【請求項４】
前記投影距離変更部は、前記投影光学系の光路上の異なる位置に択一的に挿入される複数の拡散スクリーンを有する、請求項１〜３のいずれか一項に記載のヘッドアップディスプレイ装置。
【請求項５】
前記投影距離変更部は、前記複数の拡散スクリーンを前記投影光学系の光路上に個別に進退させる駆動機構を有する、請求項５に記載のヘッドアップディスプレイ装置。
【請求項６】
前記オブジェクト検出部は、前記オブジェクトとして、移動体及び人を検出する、請求項１〜５のいずれか一項に記載のヘッドアップディスプレイ装置。
【請求項７】
前記オブジェクト検出部は、３次元計測器を有する、請求項６に記載のヘッドアップディスプレイ装置。
【請求項８】
前記関連情報像は、前記オブジェクトを囲むフレーム枠又は前記オブジェクトに隣接する指標である、請求項１〜７のいずれか一項に記載のヘッドアップディスプレイ装置。
【発明の詳細な説明】
【技術分野】
【０００１】
本発明は、虚像の投影位置を可変としたヘッドアップディスプレイ装置に関するものである。
【背景技術】
【０００２】
従来の自動車用のヘッドアップディスプレイ（以下ＨＵＤ（Head-Up Display）とも称する）装置は、虚像を運転者からある一定の距離に生成するのが一般的であり、表示内容は、車速、カーナビ情報等に限られていた。そもそもＨＵＤを車に搭載する目的は、運転者の視線移動を最小限に抑えることで、より安全な運転を支援するものであるが、安全運転支援という意味においては、上記のような表示内容だけでは不十分であり、例えば前方の車、歩行者、障害物等をカメラその他のセンサーで検知し、ＨＵＤを通して運転者に事前に危険を察知させて事故を未然に防ぐようなシステムの方がより好ましい。こういったシステムを実現するには、車、人、障害物等に対して枠状の危険信号を重畳させて表示させることが考えられる（例えば特許文献１参照）。しかしながら、運転者から虚像までの距離が一定だと運転者の眼の位置がずれた場合、実物と危険信号との位置関係がずれてしまい、ズレが過度となった場合、運転者が誤認してしまうという課題がある。【０００３】
なお、虚像の表示距離を変化させるＨＵＤ装置として、走査型の像形成手段と、拡散スクリーンと、投影手段と、拡散スクリーン位置を変える可動手段とを備え、拡散スクリーン位置を変化させることで虚像の奥行き方向の投影位置を変化させるものが公知となっている（例えば特許文献２、３参照）。これらのＨＵＤ装置は、車の速度に伴って人間が注視する距離が変わることを鑑み、虚像の表示距離を近づけたり遠ざけたりして、運転者の視線移動を少なくするもの（特許文献２）であったり、３Ｄ表示を行う目的のもの（特許文献３）であったりして、車、人、障害物等のオブジェクトに対して虚像の表示位置を調整しようとするものではない。【０００４】
また、例えば車、人、障害物等のオブジェクトに対して虚像の表示位置を重ねる、またはその近傍に表示させて運転者に危険を伝えるといった目的でＨＵＤ装置を使用する場合、運転時の危険という事象は視線の遠近に関係なく存在するものであるため、遠距離にも近距離にも同時に危険信号を表示できることが好ましい。そのためには、拡散スクリーンを高速駆動し、それと同期させた映像を像形成手段によって生成することで、人間の目には同時に表示されているかのように見せることが考えられる。しかしながら、走査型の像形成手段では、高フレームレートでの表示切り替えに対応することが難しいため、複数距離に虚像を同時に表示させる構成には向いていない。
【先行技術文献】
【特許文献】
【０００５】
【特許文献１】特開２０１５−１２７１６０号公報
【特許文献２】特開２００９−１５０９４７号公報
【特許文献３】特開２００８−１８０７５９号公報
【発明の概要】
【０００６】
本発明は、実物のオブジェクトに対して奥行き方向も含めた配置関係で虚像として関連情報像を付加することができるヘッドアップディスプレイ装置を提供することを目的とする。
【０００７】
上述した目的のうち少なくとも一つを実現するために、本発明の一側面を反映したヘッドアップディスプレイ装置は、虚像を投影する投影光学系と、検出領域内に存在するオブジェクトを検出するとともに、投影光学系からオブジェクトまでの距離を目標距離として検出するオブジェクト検出部と、投影光学系からの虚像の投影距離を非周期的に変化させる投影距離変更部と、検出されたオブジェクトに対して、目標距離と投影距離とが略一致するように、投影光学系によって虚像として関連情報像を付加する像付加部と、を備える。
【図面の簡単な説明】
【０００８】
【図１】図１Ａは、第１実施形態のヘッドアップディスプレイ装置を車体に搭載した状態を示す側方断面図であり、図１Ｂは、ヘッドアップディスプレイ装置を説明する車内側からの正面図である。
【図２】ヘッドアップディスプレイ装置を構成する投影光学系等の具体的な構成例を説明する拡大側方断面図である。
【図３】ヘッドアップディスプレイ装置の全体構造を説明するブロック図である。
【図４】具体的な表示状態を説明する斜視図である。
【図５】図５Ａ及び５Ｂは、図４に示す虚像のうち遠距離の投影像又はフレーム枠とこれに対応する拡散スクリーンの配置状態とを示し、図５Ｃ及び５Ｄは、中距離の投影像又はフレーム枠とこれに対応する拡散スクリーンの配置状態とを示し、図５Ｅ及び５Ｆは、近距離の投影像又はフレーム枠とこれに対応する拡散スクリーンの配置状態とを示す。
【図６】ヘッドアップディスプレイ装置の表示動作を説明する図である。
【図７】第２実施形態のヘッドアップディスプレイ装置を説明する図である。
【図８】図８Ａ及び８Ｂは、変形例のフレーム枠及び指標を説明する図である。
【図９】図２に示す投影光学系の変形例を説明する図である。
【発明を実施するための形態】
【０００９】
〔第１実施形態〕
以下、図面を参照しつつ、本発明に係る第１実施形態のヘッドアップディスプレイ装置について説明する。
【００１０】
図１Ａ及び１Ｂは、本実施形態のヘッドアップディスプレイ装置のうち画像表示装置１００を説明する概念的な側方断面図及び正面図である。この画像表示装置１００は、例えば自動車の車体２内に搭載されるものであり、描画ユニット１０と表示スクリーン２０とを備える。画像表示装置１００は、描画ユニット１０中の後述する表示素子１１に表示されている画像情報を、表示スクリーン２０を介してドライバーＵＮ向けに虚像表示するものである。
【００１１】
画像表示装置１００のうち描画ユニット１０は、車体２のダッシュボード４内であってディスプレイ５０の背後に埋め込むように設置されており、運転関連情報等を含む画像に対応する表示光ＨＫを表示スクリーン２０に向けて射出する。表示スクリーン２０は、コンバイナーとも呼ばれ、半透過性を有する凹面鏡又は平面鏡である。表示スクリーン２０は、下端の支持によってダッシュボード４上に立設され、描画ユニット１０からの表示光ＨＫを車体２の後方に向けて反射する。つまり、図示の場合、表示スクリーン２０は、フロントウインドウ８とは別体で設置される独立型のものとなっている。表示スクリーン２０で反射された表示光ＨＫは、運転席６に座ったドライバーＵＮの瞳ＨＴ及びその周辺位置に対応するアイボックス（不図示）に導かれる。ドライバーＵＮは、表示スクリーン２０で反射された表示光ＨＫ、つまり車体２の前方にある虚像としての投影像ＩＭを観察することができる。一方、ドライバーＵＮは、表示スクリーン２０を透過した外界光、つまり前方景色、自動車等の実像を観察することができる。結果的に、ドライバーＵＮは、表示スクリーン２０の背後の外界像又はシースルー像に重ねて、表示スクリーン２０での表示光ＨＫの反射によって形成される運転関連情報等の関連情報を含む投影像（虚像）ＩＭを観察することができる。
【００１２】
ここで、表示スクリーン２０をフロントウインドウ８と別体で構成しているが、フロントウインドウ８を表示スクリーンとして用い、フロントウインドウ８内に設定した表示範囲に投影を行って、ドライバーＵＮが投影像ＩＭを観察できる構成としても構わない。この際、フロントウインドウ８のガラスの一部領域の反射率をコート等によって変更することで、反射領域を確保することができる。また、フロントウインドウ８での反射角度が例えば６０度程度であれば、反射率が１５％程度確保され、特にコートを設けなくても透過性を有する反射面として用いることができる。これら以外に、フロントウインドウ８のガラス中にサンドイッチする構成で表示スクリーンを設けることもできる。
【００１３】
図２に示すように、描画ユニット１０は、表示素子１１を含む虚像型の拡大結像系である本体光学系１３と、本体光学系１３を動作させる表示制御部１８と、本体光学系１３等を収納するハウジング１４とを備える。これらのうち本体光学系１３と表示スクリーン２０と組み合わせたものは、投影光学系３０を構成する。
【００１４】
本体光学系１３は、表示素子１１のほかに、表示素子１１に形成された画像を拡大した中間像ＴＩを形成することができる結像光学系１５と、中間像ＴＩ又はその近傍に形成される強制中間像ＴＩ’を虚像に変換する虚像形成光学系１７とを備える。なお、強制中間像ＴＩ’が形成される場合、詳細は後述するが中間像ＴＩは形成されず、中間像ＴＩが形成されるはずであった位置を以下では結像予定位置とも呼ぶ。
【００１５】
表示素子１１は、２次元的な表示面１１ａを有する。表示素子１１の表示面１１ａに形成された像は、結像光学系１５で拡大されてスクリーン群１６を構成するいずれかの１つの拡散スクリーン１６ａ〜１６ｃに投影される。この際、２次元表示が可能な表示素子１１を用いることで、各拡散スクリーン１６ａ〜１６ｃに対する投影像又は中間像の表示内容の切り替え、つまり表示スクリーン２０越しに虚像として表示される投影像ＩＭの切り替えを比較的高速とできる。表示素子１１は、ＤＭＤ（Digital Mirror Device）やＬＣＯＳ（Liquid Crystal On Silicon）等の反射型の素子であっても、液晶等の透過型の素子であってもよい。特に、表示素子１１としてＤＭＤやＬＣＯＳを用いると、明るさを維持しつつ画像を高速で切り替えること（高速の間欠表示を含む）が容易になり、虚像距離又は投影距離を変化させる表示に有利である。なお、表示素子１１は、３０ｆｐｓ以上、更に望ましくは６０ｆｐｓ以上のフレームレートで動作する。これにより、異なる投影距離に複数の投影像（虚像）ＩＭをドライバーＵＮに対して同時に表示されているように見せることが可能になる。特に、９０ｆｐｓ以上で表示の切り替えを行う場合、ＤＭＤやＬＣＯＳが表示素子１１の候補となる。
【００１６】
結像光学系１５は、固定焦点のレンズ系であり、図示を省略するが、複数のレンズを有する。結像光学系１５は、表示素子１１の表示面１１ａに形成された画像を拡大投影して上記した結像予定位置に中間像ＴＩを形成することができる（中間像ＴＩ自体は、表示素子１１の表示動作が前提となる）。結像光学系１５は、像側において焦点深度が比較的大きくなっている。
【００１７】
結像光学系１５によって拡大投影される中間像ＴＩの結像予定位置及び当該結像予定位置の光軸ＡＸに沿った近傍を含む近傍領域ＲＶの光路上には、スクリーン群１６を構成する複数の拡散スクリーン１６ａ〜１６ｃのうちいずれか１つを選択的に挿入することができる。各拡散スクリーン１６ａ〜１６ｃは、配光角を所望の角度に制御するための拡散板であり、結像位置（つまり中間像ＴＩの結像予定位置又はその近傍）において強制中間像ＴＩ’を形成する。つまり、複数の拡散スクリーン１６ａ〜１６ｃのうちいずれか１つを光軸ＡＸと交差するように光路上に挿入することで、その拡散スクリーンの位置に強制中間像ＴＩ’を形成することができる。結果的に、強制中間像ＴＩ’の位置Ｐ１〜Ｐ３を光軸ＡＸに沿った離散的な複数の規定箇所（具体的には３箇所）に設定することができ、強制中間像ＴＩ’の位置を位置Ｐ１〜Ｐ３のいずれかに任意に変更することができる。拡散スクリーン１６ａ〜１６ｃとしては、例えば摺りガラス、レンズ拡散板、マイクロレンズアレイ等を用いることができる。
【００１８】
光軸ＡＸに沿った光路上の複数の規定箇所に強制中間像ＴＩ’を形成するスクリーン群１６と、これらを光路上に進退させる駆動機構６５とは、投影距離変更部６２を構成する。投影距離変更部６２は、投影光学系３０からの虚像の投影距離を非周期的に変化させるものであり、投影像（虚像）ＩＭまでの投影距離を任意の順序で変化させることができる。これにより、後述する像付加部（主制御装置９０及び表示制御部１８）によって関連情報像を付加するタイミングの自由度を高めることができる。具体的に説明すると、投影距離変更部６２の駆動機構６５は、３つの拡散スクリーン１６ａ〜１６ｃに対応する３つのアクチュエーターを有しており、拡散スクリーン１６ａ〜１６ｃを個別に光路上に進退させることができる。駆動機構６５は、表示制御部１８の制御下で動作し、スクリーン群１６を構成するいずれか１つの拡散スクリーン１６ａ〜１６ｃを投影光学系３０の光路上の異なる規定箇所又は動作位置に所望のタイミングで択一的に挿入する。これにより、拡散スクリーン１６ａ〜１６ｃの挿入位置に応じて投影距離を自在に設定することができる。具体的には、選択された拡散スクリーン１６ａ〜１６ｃに対応する位置Ｐ１〜Ｐ３のいずれかに強制中間像ＴＩ’を択一的に形成でき、投影像（虚像）ＩＭまでの投影距離を遠距離、中距離、及び近距離の３段階に設定することができる。なお、拡散スクリーン１６ａ〜１６ｃの挿入位置は、投影光学系３０中で中間像ＴＩが形成される位置、またはその近傍であって比較的中間像ＴＩが鮮明な範囲とする。
【００１９】
虚像形成光学系１７は、拡散スクリーン１６ａ〜１６ｃに形成された強制中間像ＴＩ’を表示スクリーン２０と協働して拡大し、ドライバーＵＮの前方に虚像としての投影像ＩＭを形成する。虚像形成光学系１７は、少なくとも１枚のミラーで構成されるが、図示の例では２枚のミラー１７ａ，１７ｂを含む。
【００２０】
以上の本体光学系１３において、拡散スクリーン１６ａ〜１６ｃを光路上に配置することにより、光軸ＡＸ方向に関する位置が異なる複数の強制中間像ＴＩ’を形成できるだけでなく、視野角とアイボックスサイズとを確保しつつ、光学系の光利用効率を高くすることができる。
【００２１】
強制中間像ＴＩ’については、像のボケ量又はフォーカスずれが少ない方が望ましい。一方で、結像予定位置と強制中間像ＴＩ’の位置Ｐ１〜Ｐ３との差を一定以上確保することで、これらによって形成される投影像（虚像）ＩＭの奥行き方向の投影位置差を確保し３次元的な表示範囲を広くする必要がある。この観点で、結像光学系１５は、下記の条件式（１）を満たすことが望ましい。
０．８≦２×Ｆ×Ｐ×ｍ２／δ≦１．２    …    （１）
ただし、値Ｆは、結像光学系１５の表示素子１１側のＦナンバーを表し、値Ｐは、表示素子１１の画素ピッチ［ｍｍ］を表し、値δは、所望の虚像距離範囲を得るために必要な拡散スクリーン移動量［ｍｍ］を表す。上記条件式（１）の値２×Ｆ×Ｐ×ｍ２／δは、焦点深度の利用率といったものであり、上記条件式（１）を満たす範囲とすることで、各拡散スクリーン１６ａ〜１６ｃの位置でフォーカスずれを少なくすることができるため、所望の虚像距離範囲において鮮明な虚像表示とすることができる。
【００２２】
図２に示す投影光学系３０の場合、観察者であるドライバーＵＮの目が移動した際の観察可能である範囲（つまりアイボックス）を大きくするためにリレー光学系の倍率を高くして拡散スクリーンのサイズが大きくなっても、拡散スクリーンを移動させなくてすみ、移動機構が大掛かりにならないという利点がある。
【００２３】
図３は、ヘッドアップディスプレイ装置２００の全体構造を説明するブロック図であり、ヘッドアップディスプレイ装置２００は、その一部として画像表示装置１００を含む。画像表示装置１００は、図２に示す構造を有するものであり、ここでは説明を省略する。
【００２４】
ヘッドアップディスプレイ装置２００は、画像表示装置１００のほかに、環境監視部７２と、主制御装置９０とを備える。
【００２５】
環境監視部７２は、検出領域内に存在するオブジェクトを検出するオブジェクト検出部であり、前方に近接して存在する移動体や人、具体的には自動車、自転車、歩行者等をオブジェクトとして識別し、オブジェクトの３次元的な位置情報を抽出する３次元計測器を有する。これにより、オブジェクトの３次元的認識によって関連情報像の３次元的表示が可能になる。また、環境監視部７２により、移動体や人に対して虚像の関連情報像を付加することになり、移動体や人の存在をヘッドアップディスプレイ装置２００のドライバーＵＮ等に知らせることができる。環境監視部（オブジェクト検出部）７２は、３次元計測器として、外部用カメラ７２ａと、外部用画像処理部７２ｂと、判断部７２ｃとを備える。外部用カメラ７２ａは、可視又は赤外域において外界像の撮影を可能にする。外部用カメラ７２ａは、車体２内外の適所に設置されており、ドライバーＵＮ又はフロントウインドウ８の前方の検出領域ＶＦ（後述する図４参照）を外部画像として撮影する。外部用画像処理部７２ｂは、外部用カメラ７２ａで撮影した外部画像に対して明るさ補正等の各種画像処理を行って判断部７２ｃでの処理を容易にする。判断部７２ｃは、外部用画像処理部７２ｂを経た外部画像からオブジェクト画像の抽出又は切り出しを行うことによって自動車、自転車、歩行者等のオブジェクト（具体的には、後述する図４中のオブジェクトＯＢ１，ＯＢ２，ＯＢ３参照）の存否を検出するとともに、外部画像に付随する奥行情報から車体２前方におけるオブジェクトの空間的な位置を算出し３次元的な位置情報として記憶部７２ｍに保管する。判断部７２ｃの記憶部７２ｍには、外部画像からオブジェクト画像の抽出を可能にするソフトウエアが保管されており、外部画像からオブジェクト画像を抽出する動作時には、記憶部７２ｍから必要となるソフトウエアやデータが読み出される。判断部７２ｃにより、例えば得られた画像内の各オブジェクト要素の形状、大きさ、色等から、オブジェクト要素に対応するオブジェクトが何かを検出することができる。その際の判断基準は、予め登録されている情報とのパターンマッチングを行ってマッチングの度合からオブジェクトが何かを検出する方法等がある。また、処理速度を高める観点で、画像から車線を検知し、その車線内にあるターゲット又はオブジェクト要素について、上記の形状、大きさ、色等からオブジェクトの検出を行うこともできる。
【００２６】
外部用カメラ７２ａは、図示を省略しているが、例えば複眼型の３次元カメラである。つまり、外部用カメラ７２ａは、結像用のレンズと、ＣＭＯＳ（Complementary metal oxide semiconductor）その他の撮像素子とを一組とするカメラ素子をマトリックス状に配列したものであり、撮像素子用の駆動回路をそれぞれ有する。外部用カメラ７２ａを構成する複数のカメラ素子は、例えば奥行方向の異なる位置にピントを合わせるようになっており、或いは相対的な視差を検出できるようになっており、カメラ素子から得た画像の状態（フォーカス状態、オブジェクトの位置等）を解析することで、検出領域に対応する画像内の各領域又はオブジェクトまでの目標距離を判定できる。
【００２７】
なお、上記のような複眼型の外部用カメラ７２ａに代えて、２次元カメラと赤外距離センサーとを組み合わせたものを用いても、撮影した画面内の各部（領域又はオブジェクト）に関して奥行方向の距離情報である目標距離を得ることができる。また、複眼型の外部用カメラ７２ａに代えて、２つの２次元カメラを分離配置したステレオカメラによって、撮影した画面内の各部（領域又はオブジェクト）に関して奥行方向の距離情報である目標距離を得ることができる。その他、単一の２次元カメラにおいて、焦点距離を高速で変化させながら撮像を行うことによっても、撮影した画面内の各部（領域又はオブジェクト）に関して奥行方向の距離情報である目標距離を得ることができる。
【００２８】
また、複眼型の外部用カメラ７２ａに代えて、ＬＩＤＡＲ（Light Detection and Ranging）技術を用いても、検出領域内の各部（領域又はオブジェクト）に関して奥行方向の距離情報を得ることができる。ＬＩＤＡＲ技術により、パルス状のレーザー照射に対する散乱光を測定し、遠距離にある対象までの距離や拡がりを計測して視野内のオブジェクトまでの距離情報やオブジェクトの拡がりに関する情報を取得することができる。さらに、例えばＬＩＤＡＲ技術のようなレーダーセンシング技術と画像情報からオブジェクトの距離等を検出する技術とを組み合わせるような複合的な手法、つまり複数のセンサーをフュージョンさせる手法によって、オブジェクトの検出精度を高めることができる。
【００２９】
オブジェクトを検出する外部用カメラ７２ａの動作速度は、入力の高速化の観点で、表示素子１１の動作速度以上である必要があり、表示素子１１の動作速度３０ｆｐｓ以上の場合、これと同等かこれより早くする必要がある。外部用カメラ７２ａは、例えば１２０ｆｐｓより高速、例えば４８０ｆｐｓや１０００ｆｐｓといった高速動作によってオブジェクトの高速検出を可能にするものが望ましい。また、複数センサーをフュージョンさせる場合、その全てのセンサーが高速である必要は必ずしもなく、少なくとも複数センサーの内１つのセンサーは高速である必要があるが、それ以外は高速でなくても構わない。この場合、高速のセンサーで検出するデータを基本としながら、高速でないセンサーのデータで補完するという使い方で、センシング精度を上げるといった方法を用いてもよい。
【００３０】
表示制御部１８は、主制御装置９０の制御下で投影光学系３０を動作させて、表示スクリーン２０の背後に虚像距離又は投影距離が変化する３次元的な投影像ＩＭを表示させる。
【００３１】
主制御装置９０は、画像表示装置１００、環境監視部７２等の動作を調和させる役割を有する。主制御装置９０は、例えば表示制御部１８を介して投影距離変更部６２を適宜動作させることによって、投影光学系３０による投影像ＩＭである虚像の投影距離を非周期的に変化させる。つまり、主制御装置９０等は、投影像ＩＭである虚像の奥行き方向に関する投影位置を非周期的に変化させる。この場合、投影位置を非周期的に往復移動させる過程の適宜の位置でオブジェクトに対して関連情報像を付与することができる。また、主制御装置９０は、環境監視部７２によって検出したオブジェクトの空間的な位置に対応するように、投影光学系３０によって投影されるフレーム枠ＨＷ（図４参照）の空間的な配置を調整する。すなわち、主制御装置９０は、環境監視部７２から受信した表示形状や表示距離を含む表示情報から、投影光学系３０に表示させる投影像ＩＭを生成する。投影像ＩＭは、例えば表示スクリーン２０の背後に存在する自動車、自転車、歩行者その他のオブジェクトに対してその奥行き位置方向に関して周辺に位置するフレーム枠ＨＷ（図４参照）のような標識とすることができる。以上のように、主制御装置９０は、表示制御部１８と協働して像付加部として機能し、検出されたオブジェクトまでの目標距離が投影距離と略一致するようなタイミングで、検出されたオブジェクトに対して投影光学系３０によって虚像として関連情報像を付加する。関連情報は、例えばオブジェクトを囲むフレーム枠ＨＷ又はオブジェクトに隣接する指標である。この場合、フレーム枠ＨＷや指標によって移動体や人の存在を知らせることができる。
【００３２】
本実施形態のような構成で、関連情報像の表示を高速に実施して、オブジェクトと同時、又は、略同時性を持って観察者が関連情報像を３次元的表示として見られるようにするためには、検知、認識・判断等の処理、表示のそれぞれを高速とする必要がある。それによって、実際のシーンに存在するオブジェクト又はターゲットに関連情報像を重ねるような表示を行う際に、表示の遅れ（レイテンシー）がなくなって、観察者又はドライバーＵＮが表示又は虚像を見る際の違和感が低減され、事故回避等の運転動作を迅速に行うことが可能となる。
【００３３】
図４は、具体的な表示状態を説明する斜視図である。観察者であるドライバーＵＮの前方は観察視野に相当する検出領域ＶＦとなっている。検出領域ＶＦ内、つまり道路及びその周辺に、歩行者等である人のオブジェクトＯＢ１や、自動車等である移動体のオブジェクトＯＢ２が存在すると考える。この場合、主制御装置９０は、画像表示装置１００によって３次元的な投影像（虚像）ＩＭを投影させ、近距離、中距離、及び遠距離に存在するオブジェクトＯＢ１，ＯＢ２，ＯＢ３に対して関連情報像としてのフレーム枠ＨＷ１，ＨＷ２，ＨＷ３を付加する。この際、ドライバーＵＮから各オブジェクトＯＢ１，ＯＢ２，ＯＢ３までの距離が異なるので、フレーム枠ＨＷ１，ＨＷ２，ＨＷ３を表示させる投影像ＩＭ１，ＩＭ２，ＩＭ３までの投影距離は、ドライバーＵＮから各オブジェクトＯＢ１，ＯＢ２，ＯＢ３までの距離に相当するものとなっている。なお、投影像ＩＭ１，ＩＭ２，ＩＭ３の投影距離は、離散的であり、オブジェクトＯＢ１，ＯＢ２，ＯＢ３までの現実の距離に対して正確に一致させることはできない。ただし、投影像ＩＭ１，ＩＭ２，ＩＭ３の投影距離と、オブジェクトＯＢ１，ＯＢ２，ＯＢ３までの現実の距離との差が大きくなければ、ドライバーＵＮの視点が動いても視差が生じにくく、オブジェクトＯＢ１，ＯＢ２，ＯＢ３とフレーム枠ＨＷ１，ＨＷ２，ＨＷ３との配置関係を略維持することができる。
【００３４】
図５Ａは、図４に示す遠距離用の投影像ＩＭ３又はフレーム枠ＨＷ３を示し、図５Ｂに示す投影距離変更部６２において位置Ｐ１に挿入される拡散スクリーン１６ａ上に投影される強制中間像ＴＩ’に相当する。図５Ｃは、図４に示す中距離用の投影像ＩＭ２又はフレーム枠ＨＷ２を示し、図５Ｄに示す投影距離変更部６２において位置Ｐ２に挿入される拡散スクリーン１６ｂ上に投影される強制中間像ＴＩ’に相当する。図５Ｅは、図４に示す近距離用の投影像ＩＭ１又はフレーム枠ＨＷ１を示し、図５Ｆに示す投影距離変更部６２において位置Ｐ３に挿入される拡散スクリーン１６ｃ上に投影される強制中間像ＴＩ’に相当する。以上において、図５Ａ、５Ｃ、及び５Ｅに示す投影像ＩＭ３，ＩＭ２，ＩＭ１の切り替えが非常に速ければ、観察者であるドライバーＵＮは、フレーム枠ＨＷ３，ＨＷ２，ＨＷ１を奥行きがある画像として同時に観察していると認識する。
【００３５】
図６を参照して、具体的な動作例について説明する。主制御装置９０は、環境監視部７２を利用してオブジェクトを検出し（ステップＳ１１）、オブジェクトを検出した場合（ステップＳ１１でＹ）、オブジェクトの３次元情報から奥行き方向の位置に対応する目標距離と、オブジェクトの広がり関する領域情報とを抽出する（ステップＳ１２）。主制御装置９０は、オブジェクトが複数検出され目標距離が複数の距離範囲に亘るか否かを判断する（ステップＳ１３）。ここで、距離範囲とは、図４で説明した近距離、中距離、及び遠距離を意味し、複数の距離範囲に亘るとは、例えば近距離及び中距離にオブジェクトが存在することを意味する。複数の距離範囲に亘らない、つまり単一の距離範囲にオブジェクトが存在すると判断した場合（ステップＳ１３でＮ）、主制御装置９０は、検出された目標距離又は単一の距離範囲に基づいて表示制御部１８及び投影距離変更部６２を動作させ、スクリーン群１６から目標距離に対応する拡散スクリーン１６ａ〜１６ｃを選択して光路上に配置する（ステップＳ１４）。つまり、投影距離変更部６２は、オブジェクト検出部としての環境監視部７２によって目標距離が検出されたタイミングで拡散スクリーン１６ａ〜１６ｃのいずれかを選択することで、目標距離に近似する投影像（虚像）ＩＭの投影距離を設定する。この場合、オブジェクトの存在にリアルタイムで対応して投影距離を設定することが容易になり、投影光学系３０によって投影される表示像を生成する表示素子１１を効率的に動作させることができる。主制御装置９０は、ステップＳ１２で抽出した目標距離と領域情報とに基づいて表示素子１１の表示面１１ａに形成すべき表示像に相当する表示データを準備する（ステップＳ１５）。この表示データは、検出したオブジェクトに対応する関連情報であり、例えばオブジェクトの存在を警告等するものである。表示データは、図４に例示するように、例えばオブジェクトＯＢ１を囲むようなフレーム枠ＨＷ１とすることができる。その後、主制御装置９０は、表示制御部１８を介して表示素子１１を動作させ、目標距離に対応する投影距離に虚像として関連情報像（フレーム枠ＨＷ１等）を投影させる（ステップＳ１６）。以上で説明したステップＳ１１でのオブジェクト検出から、ステップＳ１６での表示素子１１の表示動作までは高速で行われ、実質的にリアルタイムの動作ということができる。複数の距離範囲に亘る、つまり複数の距離範囲にオブジェクトが存在すると判断した場合（ステップＳ１３でＹ）、主制御装置９０は、検出された目標距離のうち例えば最も近い目標距離（ｎ＝１）を選択しこれに適合するように表示制御部１８及び投影距離変更部６２を動作させる。つまり、スクリーン群１６から選択した目標距離に対応する拡散スクリーン１６ａ〜１６ｃ、具体的には例えば近距離の拡散スクリーン１６ｃを選択して光路上に配置する（ステップＳ２１）。さらに、主制御装置９０は、選択した目標距離やこれに対応する領域情報に基づいて表示素子１１の表示面１１ａに形成すべき表示像に相当する表示データを準備する（ステップＳ２２）。その後、主制御装置９０は、表示制御部１８を介して表示素子１１を動作させ、選択した目標距離に対応する投影距離に虚像として関連情報像（フレーム枠ＨＷ１等）を投影させる（ステップＳ２３）。次に、主制御装置９０は、次の距離範囲又は目標距離があるか否か、つまりステップＳ１２で抽出した複数の目標距離のうち表示が行われていないものが残っているか否かを判断する（ステップＳ２４）。主制御装置９０は、次の距離範囲又は目標距離があると判断した場合（ステップＳ２４でＹ）、ｎを加算することで次に近い目標距離を選択し（ステップＳ２５）、これに適合するように表示制御部１８及び投影距離変更部６２を動作させ、目標距離に対応する拡散スクリーン１６ａ〜１６ｃを選択して光路上に配置する（ステップＳ２１）。以下、次の距離範囲に関して表示データを準備し（ステップＳ２２）、表示素子１１を動作させる（ステップＳ２３）。以上の動作を繰り返すことで、目標距離の異なる複数のオブジェクトＯＢ１，ＯＢ２，ＯＢ３に対して対応するフレーム枠ＨＷ１，ＨＷ２，ＨＷ３をそれぞれ付加することができる。
【００３６】
以上で説明した動作は単なる例示であり、様々な変形が可能である。以上では、例えば近距離、中距離、及び遠距離の３距離を投影距離とする場合を例示したが、４距離以上を投影距離とすることができる。
【００３７】
また、複数の目標距離がある場合、対応する複数の投影距離にフレーム枠ＨＷ１，ＨＷ２，ＨＷ３を同じ時間で表示する必要はなく、距離等の条件に応じて各目標距離又は投影距離に対する表示時間に軽重を持たせることができる。
【００３８】
また、環境監視部７２によってオブジェクトを検出したか否かに関わらず、主制御装置９０がランダムに拡散スクリーン１６ａ〜１６ｃを選択し、このように選択した拡散スクリーン１６ａ〜１６ｃの投影距離に対応するオブジェクトが存在すれば、存在するオブジェクトに対応する関連情報像の表示を表示素子１１に行わせるといった動作も可能である。この場合も、関連情報像の表示を同じ時間とする必要はなく、距離等に応じて表示時間に軽重を持たせることができる。
【００３９】
以上で説明した第１実施形態に係るヘッドアップディスプレイ装置２００によれば、像付加部（主制御装置９０及び表示制御部１８）が、検出されたオブジェクトＯＢ１，ＯＢ２，ＯＢ３に対して、目標距離と投影距離とが略一致するように、投影光学系３０によって虚像として関連情報像を付加するので、検出されたオブジェクトＯＢ１，ＯＢ２，ＯＢ３に対応する関連情報像をオブジェクトＯＢ１，ＯＢ２，ＯＢ３の奥行き方向の位置に対応した位置に付加することができる。なお、フレーム枠ＨＷ１，ＨＷ２，ＨＷ３は、奥行き方向に立体的に表示されており、観察者の視点がアイボックス内でずれてもフレーム枠ＨＷ１，ＨＷ２，ＨＷ３がオブジェクトＯＢ１，ＯＢ２，ＯＢ３に対して位置ずれしにくくなっている。
【００４０】
〔第２実施形態〕
以下、第２実施形態に係るヘッドアップディスプレイ装置について説明する。なお、第２実施形態のヘッドアップディスプレイ装置は第１実施形態のヘッドアップディスプレイ装置を変形したものであり、特に説明しない事項は第１実施形態等と同様である。
【００４１】
図７に示すように、第２実施形態に係るヘッドアップディスプレイ装置の場合、フロントウインドウ８の運転席正面に設けた矩形の反射領域８ｄの内側にスクリーンとしての表示スクリーン５２０が貼り付けられている。
【００４２】
〔その他〕
以上では、具体的な実施形態としてのヘッドアップディスプレイ装置２００について説明したが、本発明に係るヘッドアップディスプレイ装置は、上記のものには限られない。例えば、第１実施形態において、画像表示装置１００の配置を上下反転させて、フロントウインドウ８の上部又はサンバイザー位置に表示スクリーン２０を配置することもでき、この場合、描画ユニット１０の斜め下方前方に表示スクリーン２０が配置される。また、表示スクリーン２０は、自動車の従来のミラーに対応する位置に配置してもよい。
【００４３】
上記実施形態において、表示スクリーン２０の輪郭は、矩形に限らず、様々な形状とすることができる。
【００４４】
図２に示す結像光学系１５や虚像形成光学系１７は、単なる例示であり、これら結像光学系１５及び虚像形成光学系１７の光学的構成については適宜変更することができる。
【００４５】
図８Ａに示すように、関連情報像ＲＩとしてのフレーム枠ＨＷは、オブジェクトＯＢ全体を囲むものに限らず、複数の部分からなるものとすることができる。また、図８Ｂに示すように、関連情報像ＲＩは、オブジェクトＯＢに隣接して表示される指標ＳＨであってもよい。
【００４６】
以上では、環境監視部７２によって車体２の前方に存在するオブジェクトＯＢを検出し、画像表示装置１００にオブジェクトＯＢの配置に対応するフレーム枠ＨＷ１，ＨＷ２，ＨＷ３といった関連情報像を表示しているが、オブジェクトＯＢの有無に関わらず、通信ネットワークを利用して付随的な運転関連情報を取得し、このような運転関連情報を画像表示装置１００に表示させることができる。例えば死角に存在する車、障害物等を警告するような表示も可能である。
【００４７】
図９は、図２に示す投影光学系３０の変形例を説明する図である。結像光学系１１５は、表示素子１１に形成された画像を拡大投影して中間像ＴＩを形成する。結像光学系１１５は、光学素子として可動レンズ１５ｆを含む。可動レンズ１５ｆは、投影距離変更部６２によって光軸ＡＸ方向に移動可能になっており、かかる可動レンズ（光学素子）１５ｆの光軸ＡＸ方向への移動に伴って結像光学系１１５の焦点距離が増減し、結像又はフォーカス位置としての中間像ＴＩの位置（表示素子１１の表示が動作していなければ、必ずしも表示としての中間像は形成されないが、中間像が形成されるであろう位置も中間像の位置と呼ぶ）も光軸ＡＸ方向に移動させることができる。図９に示す光学系では、表示制御部１８や主制御装置９０の制御下で、光学素子である拡散スクリーン１６ａ〜１６ｃの配置に応じて結像光学系１１５の結像位置つまり中間像ＴＩを調整している。つまり、拡散スクリーン１６ａ〜１６ｃは、可動レンズ１５ｆと同期して動作し、移動する中間像ＴＩの位置にこの中間像ＴＩと同期して配置される。図９に示す投影光学系３０は、中間像を一度結ぶだけの構成なので、移動レンズを少ない枚数で構成する等して移動機構の大型化を抑制すれば、光学系の小型化が図れる。
【００４８】
図９に示す投影光学系３０は、結像位置又は中間像の位置を移動させて焦点位置を拡散スクリーンの位置と一致させることができるので、常に焦点が合った状態での表示が可能となり、より鮮明な像の表示が可能となる。また、明るさを確保するために結像光学系１１５のＦ値を小さくすることで焦点深度が浅くなった場合にも対応することができる。また、結像光学系１１５を可変焦点とする場合、可変焦点とする手段又は装置は、可動レンズ１５ｆに限らず、液体等を封入した可変焦点レンズを用いることができる。
【図１】
2018180857.tif 000003
【図２】
2018180857.tif 000004
【図３】
2018180857.tif 000005
【図４】
2018180857.tif 000006
【図５】
2018180857.tif 000007
【図６】
2018180857.tif 000008
【図７】
2018180857.tif 000009
【図８】
2018180857.tif 000010
【図９】
2018180857.tif 000011
【国際調査報告】
2018180857.tif 000012
2018180857.tif 000013
2018180857.tif 000014
2018180857.tif 000015